(57)【特許請求の範囲】
【請求項１】
１台あるいは２台以上の室内機と、
電源が接続される第１の端子、及び前記第１の端子に電源線を介して接続された前記室内機の給電用の第２の端子を有する室外機と、
前記室内機及び前記室外機の待機状態における消費電力を低減する待機電力低減装置とを備え、
前記待機電力低減装置は、前記電源線のうち一方の電線に挿入された第１のシャント抵抗を有する室内機電流検出手段と、前記第１の端子と前記室外機の電気品の間に挿入された常開の第１の接点部を有する第１のリレー、前記第１の接点部に直列に接続された第２のシャント抵抗、及び前記第１の接点部と並列に接続された常開の第２の接点部を有する自己保持用リレーが設けられた電源制御手段とを備え、
前記第１のリレーは、前記第１のシャント抵抗に流れる電流から生成される電圧が第２の所定値以上のときに前記第１の接点部をオンし、
前記自己保持用リレーは、前記第１の接点部がオンしたときに前記第２のシャント抵抗に流れる電流から生成される電圧が第３の所定値以上になったときに前記第２の接点部をオンすることを特徴とする空気調和機。
【請求項２】
１台あるいは２台以上の室内機と、
電源が接続される第１の端子、及び前記第１の端子に電源線を介して接続された前記室内機の給電用の第２の端子を有する室外機と、
前記室内機及び前記室外機の待機状態における消費電力を低減する待機電力低減装置とを備え、
前記待機電力低減装置は、前記電源線のうち一方の電線に挿入された第１のシャント抵抗を有する室内機電流検出手段と、前記第１の端子と前記室外機の電気品の間に挿入された常開の第１の接点部を有し、前記第１のシャント抵抗に流れる電流から生成される電圧が第２の所定値以上のときに前記第１の接点部をオンする第１のリレーが設けられた電源制御手段とを備え、
前記室外機は、前記電気品として、前記第１の接点部に直列に接続され該第１の接点部のオンにより前記電源が供給されたときの突入電流を制限する突入電流制限抵抗と、該突入電流制限抵抗及び前記第１の接点部と並列に接続された常開接点部を有する短絡リレーと、制御部とを有し、
前記制御部は、前記第１の接点部がオンされてから所定時間後に、前記短絡リレーを動作させて常開接点部をオンし、前記第１の接点部のオフにより前記電源が遮断されたときには所定の条件を満たしたときに前記短絡リレーの接点部をオフ状態にすることを特徴とする空気調和機。
【発明の詳細な説明】
【技術分野】
【０００１】
本発明は、室内機が待機状態のときに室外機への給電を遮断する待機電力低減装置を備えた空気調和機に関するものである。
【背景技術】
【０００２】
従来の空気調和機においては、待機状態移行時に、室外機の制御部が開閉手段を制御してインバーターへの電源供給を遮断し、室内機の制御部は、切替リレーを制御して室外機の電源回路への給電を遮断して、室外機の待機電力の低減を図っている（例えば、特許文献１参照）。
【先行技術文献】
【特許文献】
【０００３】
【特許文献１】特開２０１０−５４０６５号公報
【発明の概要】
【発明が解決しようとする課題】
【０００４】
前述した従来の空気調和機では、室内機から室外機の通電を制御するための切替リレーが設けられているが、室外機に複数台の室内機が接続されている場合には、室内機の台数分の切替リレーが必要となる。その場合、その分コスト高となり、回路構成が複雑になるという課題がある。
【０００５】
本発明は、上記のような課題を解決するためになされたもので、第１の目的は、室内機と室外機の回路構成をそのままとし、待機電力低減装置を室外機に組み入れることができる空気調和機を得るものである。
【０００６】
また、第２の目的は、複数台の室内機が接続されていても待機電力低減装置の構成を全て変更することなく、また、各種の空気調和機に対応できる汎用性と構成の簡単な待機電力低減装置を備えた空気調和機を得るものである。
【課題を解決するための手段】
【０００７】
本発明に係る空気調和機は、１台あるいは２台以上の室内機と、電源が接続される第１の端子、及び第１の端子に電源線を介して接続された室内機の給電用の第２の端子を有する室外機と、室内機及び室外機の待機状態における消費電力を低減する待機電力低減装置とを備え、待機電力低減装置は、電源線のうち一方の電線に挿入された第１のシャント抵抗を有する室内機電流検出手段と、第１の端子と室外機の電気品の間に挿入された常開の第１の接点部を有する第１のリレー、第１の接点部に直列に接続された第２のシャント抵抗、及び第１の接点部と並列に接続された常開の第２の接点部を有する自己保持用リレーが設けられた電源制御手段とを備え、第１のリレーは、第１のシャント抵抗に流れる電流から生成される電圧が第２の所定値以上のときに第１の接点部をオンし、自己保持用リレーは、第１の接点部がオンしたときに第２のシャント抵抗に流れる電流から生成される電圧が第３の所定値以上になったときに第２の接点部をオンする。
【発明の効果】
【０００８】
本発明によれば、室内機電流検出手段により検出された電流が第１の所定値以上のときに室外機の電気品に給電するようにしている。これにより、室内機が待機中の場合には、室外機に給電されないため、空気調和機の待機電力を低減できる。
また、室外機内の電源線に待機電力低減装置を組み入れる構成とし、しかも待機電力低減装置の構成が簡単であるため、コスト面でも従来の技術と比べ安価な空気調和機を提供できる。
【図面の簡単な説明】
【０００９】
【図１】実施の形態１に係る空気調和機の室内機を示すブロック回路図である。
【図２】実施の形態１に係る空気調和機の室外機を示すブロック回路図である。
【図３】実施の形態２に係る空気調和機の室外機を示すブロック回路図である。
【図４】実施の形態３に係る空気調和機の室外機を示すブロック回路図である。
【図５】実施の形態４に係る空気調和機の室外機を示すブロック回路図である。
【図６】図５に示す短絡リレーをオフするときの室外機マイコン回路の動作を示すフローチャートである。
【図７】実施の形態５に係る空気調和機の室外機を示すブロック回路図である。
【図８】実施の形態６に係る空気調和機の室外機を示すブロック回路図である。
【発明を実施するための形態】
【００１０】
実施の形態１．
図１は実施の形態１に係る空気調和機の室内機を示すブロック回路図、図２は実施の形態１に係る空気調和機の室外機を示すブロック回路図である。なお、本実施の形態の空気調和機は、冷房運転のみの冷専機種用である。
図１、２において、本実施の形態の空気調和機は、複数台の室内機１と、各室内機１とそれぞれ接続配線２３を介して接続された１台の室外機２０とで構成されている。その接続配線２３は、室外機２０から各室内機１に電源を供給するためと、室外機２０と各室内機１との間で行われる通信データを送受するための電線で、その一端が各室内機１の室内機端子台２（第２の端子）に接続され、他端が室外機２０の接続端子台２２に接続されている。その接続は、室内機端子台２と接続端子台２２の各端子に付された同名のラベル同士が繋がるようになされている。
【００１１】
複数の室内機１には、室内機端子台２のＳ１端子とＳ２端子に接続されたノイズフィルター３と、ノイズフィルター３の出力側に設けられた室内機電源回路４と、室内機電源回路４と接続された室内機マイコン回路５と、室内外通信回路１０とが設けられている。その室内外通信回路１０は、室内機マイコン回路５からのパラレルデータをシリアルデータに変換し、室内機端子台２のＳ３端子から接続配線２３を介して室外機２０に送信する。また、室内外通信回路１０は、室外機２０からのシリアルデータが受信されたときにはパラレルデータに変換し、室内機マイコン回路５に入力して信号解析を行わせる。
【００１２】
また、複数の室内機１には、室内機ファンモーター７と、風向を可変するベーンモーター８と、アクチュエータ駆動回路６とが備えられている。アクチュエータ駆動回路６は、室内機マイコン回路５からの制御信号に基づいて室内機ファンモーター７やベーンモーター８を駆動する。さらに、複数の室内機１には、室内温度検出用のサーミスタである温度センサー１５と、ワイヤレスリモコン１１からの光信号を受信し、電気信号に変換する受光器９と、受光器９からの電気信号を室内機マイコン回路５に入力するリモコン通信回路１２と、運転状態等を表示する表示器１３と、表示器１３を表示させるための表示駆動回路１４とが設けられている。
【００１３】
前述の室外機２０には、図２に示すように、商用電源１６と接続される電源端子台２１と、室内機１の台数に応じて設けられた複数の接続端子台２２が設けられている。電源端子台２１（Ｌ１端子、Ｎ端子）と接続端子台２２（Ｓ１端子、Ｓ２端子）、及び接続端子台２２（Ｓ１端子、Ｓ２端子）同士は、渡り配線された電源線２４によって接続されている。なお、電源端子台２１のＰＥ端子にはアース線が接続されている。
【００１４】
また、室外機２０には、電源端子台２１（第１の端子）のＬ１、Ｎ端子と接続された室外機電気品４０と、電源端子台２１と室外機電気品４０との間に挿入された待機電力低減装置４１とが備えられている。室外機電気品４０として、ノイズフィルター２５と、突入電流制限抵抗２７と、突入電流制限抵抗２７に並列に接続された短絡リレー２６と、入力電流を検出する電流検出回路２８と、室外機電源回路２９と、平滑コンデンサ３０と、インバータ回路３１と、インバータ回路３１の出力側に設けられた圧縮機３２と、室外機マイコン回路３３と、本機２０のアクチュエータである電磁弁３６、ＬＥＶ３７（電子膨張弁）及び室外機ファンモーター３８と、アクチュエータ駆動回路３５とを備えている。インバータ回路３１は、室外機マイコン回路３３からの駆動信号に基づいて圧縮機３２を駆動する。アクチュエータ駆動回路３５は、室外機マイコン回路３３からの制御信号に基づいて電磁弁３６やＬＥＶ３７、室外機ファンモーター３８を駆動する。
【００１５】
また、室外機電気品４０として、接続端子台２２のＳ３端子と接続された室内外通信回路３４と、冷媒などの温度を検出する複数のサーミスタを有するセンサー回路３９とを備えている。室内外通信回路３４は、各室内機１にそれぞれ設けられている。その室内外通信回路３４は、室外機マイコン回路３３からのパラレルデータをシリアルデータに変換し、接続端子台２２のＳ３端子から接続配線２３を介して室内機１に送信する。また、室内外通信回路３４は、室内機１からのシリアルデータが受信されたときにはパラレルデータに変換し、室外機マイコン回路３３に入力して信号解析を行わせる。
【００１６】
待機電力低減装置４１は、室内機電流検出回路４６と、室外機電気品４０の電源をオン／オフする電源スイッチ４３を有する電源制御回路４７とで構成されている。室内機電流検出回路４６は、電源端子台２１のＬ１端子と接続端子台２２のＳ１端子を接続する電源線２４に挿入され、その電源線２４を介して各室内機１に流れる電流を検出する。電源制御回路４７は、室内機電流検出回路４６により検出された電流が第１の所定値以上のときには電源スイッチ４３をオンする。室内機電流検出回路４６により検出された電流が第１の所定値以上となるときは、例えば、複数の室内機１のうち何れか１台の室内機１の室内機ファンモーターが駆動したときである。
【００１７】
前記のように構成された空気調和機においては、室外機２０が停止状態のときには待機電力低減装置４１の電源スイッチ４３がオフ状態であるため、商用電源１６が室外機２０の電源端子台２１に接続されていても室外機電気品４０には給電されず、電力が消費されない状態となっている。一方、各室内機１は、室外機２０との間の接続配線２３を介して商用電源１６が印加されている。この状態においては、室内機マイコン回路５は、表示器１３には何も表示せず、また、室内外通信回路１０を用いての通信もなく、ワイヤレスリモコン１１からの信号待ち状態、即ち待機状態となっている。この場合、異常表示とはならないように、室内機マイコン回路５にプログラムが組まれている。
【００１８】
ワイヤレスリモコン１１からの冷房運転の信号が受光器９及びリモコン通信回路１２を介して室内機マイコン回路５に入力されると、室内機マイコン回路５は、アクチュエータ駆動回路６に制御信号を出力して室内機ファンモーター７を駆動させる。この時、室内機電流検出回路４６によって検出される電流が上昇していくので、電源制御回路４７は、その電流が第１の所定値以上になったときに電源スイッチ４３をオンし、室外機電気品４０に給電する。
【００１９】
室外機電気品４０に電源が印加された場合、まず、平滑コンデンサ３０に充電電流が流れるので、突入電流制限抵抗２７によって突入電流が低減される。室外機電源回路２９が室外機マイコン回路３３の動作可能電圧になったときには、室外機マイコン回路３３は、平滑コンデンサ３０の充電が収まった時点で、突入電流制限抵抗２７の短絡リレー２６をオンし、室内外通信回路３４に室内機１からの信号が受信されたか否かを判定する。室外機マイコン回路３３は、室内機１からの信号を検知したときには、その内容に応じて、冷房運転に必要なＬＥＶ３７の開度を設定する制御信号や、電磁弁３６をオンする制御信号などをアクチュエータ駆動回路３５に出力する。そして、室外機マイコン回路３３は、インバータ回路３１に駆動信号を出力して圧縮機３２を駆動させ、冷房運転を実行する。
【００２０】
以上のように実施の形態１においては、電源線２４に流れる電流を検出し、その検出電流が第１の所定値以上のときに電源スイッチ４３をオンする待機電力低減装置４１を設けている。このように、待機電力低減装置４１の回路構成が簡単であり、しかも電源線２４に待機電力低減装置４１を組み入れる構成としているので、コスト面でも従来の技術と比べ安価な空気調和機を提供できる。
また、室内機１の全てが待機状態になっているときには電源スイッチ４３をオフ状態にして室外機２０への給電を遮断しているので、空気調和機の待機電力を低減できる。
【００２１】
実施の形態２．
実施の形態２は、待機電力低減装置４１の内部構成について、より具体的に示したものである。
図３は実施の形態２に係る空気調和機の室外機を示すブロック回路図である。なお、室外機及び室内機の構成は、実施の形態１と同様であるため同じ符号を付し、実施の形態１と異なる待機電力低減装置のみについて説明する。
【００２２】
実施の形態２の空気調和機は、実施の形態１と同様に冷房運転のみの冷専機種用である。その空気調和機の室外機２０に設けられた待機電力低減装置４１は、室内機電流検出手段である室内機電流検出用のシャント抵抗４２（第１のシャント抵抗）と、電源制御手段であるリレー４３（第１のリレー）とから構成されている。
【００２３】
シャント抵抗４２は、電源端子台２１のＬ１端子と接続端子台２２のＳ１端子を接続する電源線２４に挿入され、その電源線２４を介して各室内機１に流れる電流を検出する。リレー４３は、コイル部４３ａがシャント抵抗４２に並列に接続され、常開の接点部４３ｂ（第１の接点部）が電源端子台２１のＬ１端子と室外機電気品４０のノイズフィルター２５の間に挿入されている。リレー４３のコイル部４３ａは、複数の室内機１のうち何れか１台の室内機１の室内機ファンモーター７が駆動されたときに適切に動作する感動電圧（第２の所定値）が選択されている。
【００２４】
本実施の形態においては、各室内機１が待機状態のときにはリレー４３の接点部４３ｂがオフ状態となっている。これは、シャント抵抗４２に流れる電流により発生するシャント抵抗４２の両端電圧がコイル部４３ａの感動電圧より低いからである。例えば１台の室内機１の室内機ファンモーター７が駆動した場合には、シャント抵抗４２に流れる電流が上昇する。これに伴って、シャント抵抗４２の両端電圧が高くなり、その両端電圧がコイル部４３ａの感動電圧以上になったときには、コイル部４３ａの励磁作用により常開の接点部４３ｂがオンし、室外機電気品４０に電源が印加される。
【００２５】
以上のように実施の形態２によれば、１台の室内機１の室内機ファンモーター７が駆動したときに室外機２０に給電されるように、シャント抵抗４２とリレー４３とで待機電力低減装置４１を構成している。このように、待機電力低減装置４１の回路構成が簡単であり、しかも電源線２４に待機電力低減装置４１を組み入れる構成としているので、コスト面でも従来の技術と比べ安価な空気調和機を提供できる。
また、室内機１の全てが待機状態になっているときにはリレー４３の接点部４３ｂがオフ状態になっているので、空気調和機の待機電力を低減できる。
また、シャント抵抗４２の抵抗値を変えることで、各種の空気調和機に対応でき、汎用性のある待機電力低減装置４１を提供できる。
【００２６】
実施の形態３．
本実施の形態は、冷暖房運転が可能な空気調和機において室内機が待機状態であるときの室外機の待機電力を低減するようにしたものである。
図４は実施の形態３に係る空気調和機の室外機を示すブロック回路図である。なお、室内機と室外機の構成については、実施の形態１と同様であるため同じ符号を付し、実施の形態１、２と異なる待機電力低減装置のみについて説明する。
【００２７】
室外機２０に設けられた待機電力低減装置４１は、室内機電流検出手段であるシャント抵抗４２（第１のシャント抵抗）と、電源制御手段を構成するリレー４３（第１のリレー）と、シャント抵抗４４（第２のシャント抵抗）と、自己保持用リレー４５とからなっている。
【００２８】
シャント抵抗４２は、電源端子台２１のＬ１端子と接続端子台２２のＳ１端子を接続する電源線２４に挿入され、その電源線２４を介して各室内機１に流れる電流を検出する。リレー４３は、コイル部４３ａがシャント抵抗４２に並列に接続され、常開の接点部４３ｂ（第１の接点部）が電源端子台２１のＬ１端子と室外機電気品４０のノイズフィルター２５の間に設けられている。リレー４３のコイル部４３ａは、前述したように、複数の室内機１のうち何れか１台の室内機１の室内機ファンモーター７が駆動されたときに適切に動作する感動電圧（第２の所定値）が選択されている。
【００２９】
シャント抵抗４４は、室外機電流検出用で、電源端子台２１のＬ１端子とリレー４３の接点部４３ｂの間に挿入されている。自己保持用リレー４５は、コイル部４５ａがシャント抵抗４４に並列に接続され、常開接点部４５ｂがリレー４３の接点部４３ｂに並列に接続されている。自己保持用リレー４５のコイル部４５ａの感動電圧（第３の所定値）は、前述したリレー４３のコイル部４３ａの感動電圧より高い。
【００３０】
本実施の形態においては、冷房運転時には、リレー４３の接点部４３ｂがオンし、室外機２０が運転を開始したときには、室外機電流検出用のシャント抵抗４４に電圧が発生するため、自己保持用リレー４５ａの接点部４５ｂがオンする。この状態は、全ての室内機１が停止することにより、シャント抵抗４２に流れる電流が小さくなって、リレー４３の接点部４３ｂがオフしても、室外機２０の電磁弁３６、ＬＥＶ３７などのアクチュエータや圧縮機３２の電流が流れていれば自己保持用リレー４５ａの接点部４５ｂのオン状態が継続される。これは、室内機１からの停止信号が室内外通信回路３４を介して室外機マイコン回路３３に入力されても、その室外機マイコン回路３３の制御により、アクチュエータや圧縮機３２を直ぐには駆動停止せずに、動作させることがあるからである。
【００３１】
また、暖房運転時の霜取運転の場合には、全ての室内機１が停止したとしても、自己保持用のリレー４５ａの接点部４５ｂがオン状態を保持しているため、室外機電気品４０への給電は維持され、霜取り運転が可能となる。
【００３２】
以上のように実施の形態３によれば、２つのシャント抵抗４２、４４と２つのリレー４３、４５とで待機電力低減装置４１を構成しているので、待機電力低減装置４１の回路構成が簡単であり、しかも電源線２４に待機電力低減装置４１を組み入れる構成としているので、コスト面でも従来の技術と比べ安価な空気調和機を提供できる。
また、室内機１の全てが待機状態になっているときにはリレー４３、４５の接点部４３ｂ、４５ｂがオフ状態になるので、空気調和機の待機電力を低減できる。
さらに、室外機電流検出用のシャント抵抗４４により、室外機の動作中には、電源がオフしないように、自己保持しているため、室内機１が待機中になってから、タイムラグを持って室外機２０の電源をオフすることが可能である。このことにより、待機電力低減装置４１を既存の室内機１、室外機２０に対して、追加して配線をすることができ、既存の空気調和機に対して何も変更する必要がないので、汎用性のある待機電力低減装置４１を提供できる。
【００３３】
実施の形態４．
本実施の形態は、室外機マイコン回路によってしか室外機電気品の電源を切ることができないようにしたものである。
図５は実施の形態４に係る空気調和機の室外機を示すブロック回路図である。なお、室内機と室外機の構成については、実施の形態１と同様であるため同じ符号を付し、実施の形態１、２、３と異なる待機電力低減装置と室外機マイコン回路について説明する。
【００３４】
室外機２０に設けられた待機電力低減装置４１は、室内機電流検出手段であるシャント抵抗４２（第１のシャント抵抗）と、電源制御手段であるリレー４３（第１のリレー）とからなっている。
【００３５】
シャント抵抗４２は、電源端子台２１のＬ１端子と接続端子台２２のＳ１端子を接続する電源線２４に挿入され、その電源線２４を介して各室内機１に流れる電流を検出する。リレー４３は、コイル部４３ａがシャント抵抗４２に並列に接続され、常開の接点部４３ｂ（第１の接点部）が短絡リレー２６と並列になるようにノイズフィルター２５と突入電流制限抵抗２７の間に挿入されている。リレー４３のコイル部４３ａは、前述したように、複数の室内機１のうち何れか１台の室内機１の室内機ファンモーター７が駆動されたときに適切に動作する感動電圧（第２の所定値）が選択されている。
【００３６】
本実施の形態においては、何れか１台の室内機１の室内機ファンモーター７の駆動により、シャント抵抗４２の両端電圧がリレー４３の感動電圧以上になると、リレー４３の接点部４３ｂがオンする。その時、直ちに突入電流制限抵抗２７に電流が流れ、ある程度の時間（所定時間）後に短絡リレー２６がオンする。その短絡リレー２６のオンは、室外機マイコン回路３３の制御によるものである。この状態になった後は、全ての室内機１が停止しても室外機２０の電源は切れることがない。
【００３７】
ここで、室外機２０の電源を切るときの室外機マイコン回路３３の動作について図６を用いて説明する。
図６は図５に示す短絡リレーをオフするときの室外機マイコン回路の動作を示すフローチャートである。
室外機マイコン回路３３は、Ｓ１〜Ｓ３を順次に処理した後、全ての室内機１が待機中の状態であるか否かを判定する（Ｓ４）。室外機マイコン回路３３は、全ての室内機１が待機中でないとき、つまり、全ての室内機１からの停止信号が入力されていないときにはＳ２に戻って通信データの読み込みに入る。また、室外機マイコン回路３３は、その停止信号の入力を検知したときには全ての室内機１が待機中であると判定して、室外機２０のアクチュエータ３６、３７、３８が不動作の状態か否かを判定する（Ｓ５）。
【００３８】
室外機マイコン回路３３は、アクチュエータ３６、３７、３８の何れかが動作しているときにはＳ２に戻るが、そのアクチュエータ３６、３７、３８が不動作の状態であることを検知したときにはＳ６に移行する。室外機マイコン回路３３は、Ｓ６に移行したときには突入電流制限抵抗２７の短絡リレー２６をオフし、Ｓ２に戻る。この場合、室外機２０の平滑コンデンサ３０の残った電荷により、しばらくの間、室外機マイコン回路３３が動作しているが、やがて電圧が低下していく。この状態で、室外機２０には、通電されていないため、待機電力は消費されなくなる。
【００３９】
以上のように実施の形態４によれば、リレー４３の接点部４３ｂの接続箇所をノイズフィルター２５と突入電流制限抵抗２７の間に設け、室外機マイコン回路３３の制御プログラムを変更することで、実施の形態３で実施していた室外機電流検出用のシャント抵抗４４や自己保持用リレー４５が不要となり、同様な機能を呈するため、より安価に待機電力低減装置を構成することができる。
【００４０】
実施の形態５．
前述した実施の形態１〜４では、１台の室内機の室内機ファンモータ７が駆動したときの電流がシャント抵抗４２に流れたときに室外機２０に給電するようにしたが、本実施の形態は、それほど大きくない電流がシャント抵抗４２に流れたときに室外機２０に電源を印加するようにしたものである。
【００４１】
図７は実施の形態５に係る空気調和機の室外機を示すブロック回路図である。なお、室内機と室外機の構成については、実施の形態１と同様であるため同じ符号を付し、実施の形態１〜４と異なる待機電力低減装置のみについて説明する。
【００４２】
室外機２０に設けられた待機電力低減装置４１は、図７に示すように、室内機電流検出手段であるシャント抵抗４２（第３のシャント抵抗）と、電源制御手段を構成する計装アンプ回路４９、比較回路５０、リレー駆動回路５３及びリレー４３（第３のリレー）と、電源回路４８とからなっている。
【００４３】
シャント抵抗４２は、前述したように、電源端子台２１のＬ１端子と接続端子台２２のＳ１端子を接続する電源線２４に挿入され、その電源線２４を介して各室内機１に流れる電流を検出する。計装アンプ回路４９は、シャント抵抗４２の両端に接続され、シャント抵抗４２により検出された電流に相当する電圧ＶB を検出する。比較回路５０は、抵抗５１，５２により基準電圧ＶA を生成する分圧回路を有し、計装アンプ回路４９からの電圧ＶB が基準電圧ＶA 以上のときに信号を出力する。計装アンプ回路４９の電圧ＶB が基準電圧ＶA 以上になる場合は、例えば、複数の室内機１のうち何れか１台の室内機１の室内機マイコン回路５が動作したときである。
【００４４】
リレー駆動回路５３は、比較回路５０からの信号が入力されたときにリレー４３のコイル部４３ａに電圧を印加させる。リレー４３は、コイル部４３ａが電源回路４８とリレー駆動回路５３の間に挿入され、常開の接点部４３ｂ（第３の接点部）が電源端子台２１のＬ１端子とノイズフィルター２５の間に挿入されている。リレー４３のコイル部４３ａは、リレー駆動回路５３により感動電圧が印加されたときに接点部４３ｂをオンし、室外機２０の室外機電気品４０に電源を供給する。電源回路４８は、商用電源１６が印加されており、計装アンプ回路４９、比較回路５０及びリレー駆動回路５３に必要な電圧を生成する。
【００４５】
以上のように実施の形態５によれば、計装アンプ回路４９によりシャント抵抗４２に流れる電流に相当する電圧ＶB が検出され、その電圧ＶB が比較回路５０の基準電圧ＶA 以上のときにリレー４３のコイル部４３ａを動作させてその接点部４３ｂをオンさせるようにしている。このように、シャント抵抗４２の両端電圧により直接にリレー４３が動作しない構成となっているため、室内機マイコン回路５の動作電圧でもリレー４３を動作させてその接点部４３ｂをオンさせることが可能である。
また、計装アンプ回路４９により検出される電圧ＶB は、比較回路５０の基準電圧ＶA の抵抗値により決定されるため、室内機１が変わったとしても、その抵抗値の組み合わせを変えるだけでよく、汎用性のある待機電力低減装置を提供できる。
【００４６】
実施の形態６．
図８は実施の形態６に係る空気調和機の室外機を示すブロック回路図である。なお、室内機と室外機の構成については、実施の形態１と同様であるため同じ符号を付し、実施の形態１〜５と異なる待機電力低減装置のみについて説明する。
【００４７】
室外機２０に設けられた待機電力低減装置４１は、図８に示すように、室内機電流検出手段である電流トランス５４と、電源制御手段を構成する増幅回路５６、積分回路５７、リレー駆動回路５３及びリレー４３（第４のリレー）とからなっている。
【００４８】
電流トランス５４は、一次側が電源端子台２１のＬ１端子と接続端子台２２のＳ１端子を接続する電源線２４に挿入され、二次側には保護用ツェナーダイオード５５が接続され、その電源線２４を介して各室内機１に流れる電流を電圧に変換する。変換された電圧は、保護用ツェナーダイオード５５によって、ツェナー電圧以上にならない。つまり、ノイズなどの突入電流による動作不具合に強い構成となっている。
【００４９】
増幅回路５６は、電流トランス５４により変換された電圧を増幅する。積分回路５７は、増幅された電圧を安定化し、リレー４３のコイル部４３ａの感動電圧まで上げる。積分回路５７の出力電圧がコイル部４３ａの感動電圧になる場合は、前述したように、複数の室内機１のうち何れか１台の室内機１の室内機マイコン回路５が動作したときである。
【００５０】
リレー４３は、コイル部４３ａが電源回路４８とリレー駆動回路５３の間に挿入され、常開の接点部４３ｂ（第４の接点部）が電源端子台２１のＬ１端子とノイズフィルター２５の間に挿入されている。リレー４３のコイル部４３ａは、積分回路５７からの感動電圧が印加されたときに接点部４３ｂをオンし、室外機２０の室外機電気品４０に電源を供給する。電源回路４８は、商用電源１６が印加されており、増幅回路５６及びリレー駆動回路５３に必要な電圧を生成する。
【００５１】
以上のように実施の形態６によれば、室内機１に流れる電流を電流トランス５４により電圧に変換し、それをリレー４３の感動電圧まで増幅するようにしている。これにより、電流の流れにより発熱するシャント抵抗が不要となり、室内機１に流れる電流のノイズ電流等による急激な変動に対して、誤動作し難い構成となっている。
また、室内機１が変わったとしても、積分回路５７の回路定数を変えて、リレー４３の感動電圧になるように調整するだけでよく、汎用性のある待機電力低減装置を提供できる。
【００５２】
なお、実施の形態１〜６では、室外機２０の室外機電気品４０は、複数台の室内機１を１台の室外機２０で動作させるマルチ型の空気調和機の代表的な構成であるが、室内機１を１台としてもよい。１台の室内機１の場合には、室外機２０の室内外通信回路３４や接続端子台２２が１つとなる。
【符号の説明】
【００５３】
１  室内機、２  室内機端子台、３  ノイズフィルター、４  室内機電源回路、５  室内機マイコン回路、６  アクチュエータ駆動回路、７  室内機ファンモーター、８  ベーンモーター、９  受光器、１０  室内外通信回路、１１  ワイヤレスリモコン、１２  リモコン通信回路、１３  表示器、１４  表示駆動回路、１５  温度センサー、１６  商用電源、２０  室外機、２１  電源端子台、２２  接続端子台、２３  接続配線、２４  電源線、２５  ノイズフィルター、２６  短絡リレー、２７  突入電流制限抵抗、２８  電流検出回路、２９  室外機電源回路、３０  平滑コンデンサ、３１  インバータ回路、３２  圧縮機、３３  室外機マイコン回路、３４  室内外通信回路、３５  アクチュエータ駆動回路、３６  電磁弁、３７  ＬＥＶ、３８  室外機ファンモーター、３９  センサー回路、４０  室外機電気品、４１  待機電力低減装置、４２  室内機電流検出用のシャント抵抗、４３  リレー、４３ａ  リレーのコイル部、４３ｂ  リレーの接点部、４４  室外機電流検出用のシャント抵抗、４５  自己保持用リレー、４５ａ  自己保持用リレーのコイル部、４５ｂ  自己保持用リレーの接点部、４６  室内機電流検出回路、４７  電源制御回路、４８  電源回路、４９  計装アンプ回路、５０  比較回路、５１，５２  抵抗、５３  リレー駆動回路、５４  電流トランス、５５  ツェナーダイオード、５６  増幅回路、５７  積分回路。
【図１】
0005404582.tif 000002
【図２】
0005404582.tif 000003
【図３】
0005404582.tif 000004
【図４】
0005404582.tif 000005
【図５】
0005404582.tif 000006
【図６】
0005404582.tif 000007
【図７】
0005404582.tif 000008
【図８】
0005404582.tif 000009